(57)【要約】      （修正有）【課題】ダム管理用情報を集中管理し、関連装置の保守作業の簡易化を実現できる中央管理装置を提供する。【解決手段】中央管理装置３は、情報取得部及び情報管理部を備えた構成である。前記情報取得部は、第１のネットワーク２を経由してダム管理用制御設備１からダム管理用情報を取得する。前記情報管理部は前記ダム管理用情報を保存し、第２のネットワークを経由して前記ダム管理用情報を提供する。【選択図】図１
2014167221.tif 000002
【特許請求の範囲】
【請求項１】
第１のネットワークを経由してダム管理用制御設備からダム管理用情報を取得する情報取得手段と、
前記ダム管理用情報を保存し、第２のネットワークを経由して前記ダム管理用情報を提供する情報管理手段と
を具備する中央管理装置。
【請求項２】
前記情報管理手段は、
第２のネットワークを経由した予め認証された周辺装置からのアクセスに応じて、前記ダム管理用情報を送信する請求項１に記載の中央管理装置。
【請求項３】
前記情報管理手段は、
前記予め認証された周辺装置の表示画面上に表示可能な情報として、前記ダム管理用情報を処理して送信する請求項２に記載の中央管理装置。
【請求項４】
第１のネットワークを経由してダム管理用制御設備からダム管理用情報を取得する中央管理装置と、
第２のネットワークを経由して前記中央管理装置に接続可能な周辺装置とを有し、
前記中央管理装置は、
前記ダム管理用情報を保存し、前記ダム管理用情報を前記周辺装置に提供する情報管理手段と
を含むダム管理用情報提供システム。
【請求項５】
前記中央管理装置は、
第２のネットワークを経由した予め認証された前記周辺装置からのアクセスに応じて、前記ダム管理用情報を送信する請求項４に記載のダム管理用情報提供システム。
【請求項６】
前記中央管理装置は、
前記予め認証された前記周辺装置の表示画面上に表示可能な情報として、前記ダム管理用情報を処理して送信する請求項５に記載のダム管理用情報提供システム。
【発明の詳細な説明】
【技術分野】
【０００１】
本発明の実施形態は、ダム管理用制御設備の中央管理装置及びダム管理用情報提供システムに関する。
【背景技術】
【０００２】
一般的に、河川などの放流を制御するためのダムには、ダムの運用管理するためのダム管理用制御設備が設けられている。ダム管理用制御設備は、ダム管理に必要なダム管理用情報を収集する。具体的には、ダム管理用制御設備は、貯水位、放流量等のダムデータや、テレメータ観測装置、地震観測装置、気象観測装置等の周辺装置からのデータを含むダム管理用情報を収集して管理する。
【先行技術文献】
【特許文献】
【０００３】
【特許文献１】特開平４−２１００９号公報
【発明の概要】
【発明が解決しようとする課題】
【０００４】
ダム管理用制御設備は、ダム管理用制御設備により収集されたダム管理用情報を使用してダム管理を行なう関連機関が運営する関連装置などに専用通信回線を介して接続されている。関連装置は、ダム管理用情報を表示するための表示端末装置を有し、コンピュータにより構成されている。関連装置は、ソフトウェア更新や、また新たな表示端末装置を追加するようなハードウェアの改造を必要とする場合がある。
【０００５】
このような関連装置の更新や改造の際に、ダム管理用制御設備との間で新たなケーブル配線やソフトウェア製作などの複雑な保守作業が要求される。また、関連装置の保守作業により、ダム管理用制御設備により収集されたダム管理用情報の管理も考慮する必要がある。
【０００６】
そこで、本発明の目的は、ダム管理用情報を集中管理し、関連装置の保守作業の簡易化を実現できる中央管理装置を提供することにある。
【課題を解決するための手段】
【０００７】
本実施形態の中央管理装置は、情報取得手段及び情報管理手段を備えた構成である。前記情報取得手段は、第１のネットワークを経由してダム管理用制御設備からダム管理用情報を取得する。前記情報管理手段は前記ダム管理用情報を保存し、第２のネットワークを経由して前記ダム管理用情報を提供する。
【図面の簡単な説明】
【０００８】
【図１】実施形態に関するダム管理システムの構成を説明するためのブロック図。
【図２】実施形態に関するダム管理用情報提供システムの構成を説明するためのブロック図。
【図３】実施形態に関する中央管理装置の動作を説明するためのフローチャート。
【図４】実施形態に関する関連装置の動作を説明するためのフローチャート。
【発明を実施するための形態】
【０００９】
以下図面を参照して、実施形態を説明する。
【００１０】
［ダム管理システム］
図１に示すように、本実施形態のダム管理システムは大別して、複数のダム管理用制御設備１と、ネットワーク２と、中央管理装置３とを有する。ネットワーク２は、例えばインターネットのＩＰ網を使用するＶＰＮ（Virtual Private Network）回線である。
【００１１】
ダム管理用制御設備１は、制御系ＬＡＮ１１に接続される制御系と、情報系ＬＡＮ１２に接続される情報系とからなる。制御系は、放流操作装置１０及び入出力装置１３を有する。入出力装置１３は、ダムの放流量を制御するためのゲート設備１４の制御に必要な操作や制御信号の入出力を行なう。また、入出力装置１３は、図示しない貯水池の水位や放流量等のダム制御情報を制御系ＬＡＮ２に送信する。
【００１２】
一方、情報系は、情報入力・提供装置１５及びルータ１６を有する。情報入力・提供装置１５は、テレメータ観測装置、地震観測装置、気象観測装置等の周辺装置と接続してダム制御に必要な各種情報を入力（収集）する。ここで、放流操作装置１０は制御系ＬＡＮ２を介して、入出力装置１３からのダム制御情報を取得する。また、放流操作装置１０は情報系ＬＡＮ１２を介して、情報入力・提供装置１５からの各種情報を取得する。
【００１３】
ルータ１６はネットワーク２に接続し、ネットワーク２を経由する情報の送受信を制御する。具体的には、ルータ１６は放流操作装置１０からのダム制御情報を含むダム管理用情報をネットワーク２に送信する。
【００１４】
本実施形態では、中央管理装置３は、ネットワーク２を介して複数のダム管理用制御設備１と接続し、ダム管理用制御設備１のダム制御情報を含むダム管理用情報を一括管理する。中央管理装置３は、コンピュータから構成される中央端末装置３０及びルータ３１を有する。中央端末装置３０はダム管理用情報を保存・管理し、後述するように、当該ダム管理用情報を提供する処理を実行する。
【００１５】
ルータ３１はネットワーク２に接続し、ネットワーク２を経由する情報の送受信を制御する。具体的には、ルータ３１はダム管理用制御設備１から送信されるダム制御情報などを受信して中央端末装置３０に転送する。
【００１６】
図２は、本実施形態のダム管理用情報提供システムの構成を示すブロック図である。
【００１７】
図２に示すように、本実施形態では、中央管理装置３は、ネットワーク４を介して関連装置５、スマートフォン６、あるいはタブレット７に対してダム制御情報を含むダム管理用情報を提供する。ネットワーク４は、例えばネットワーク２とは異なるインターネットである。
【００１８】
関連装置５は、例えばダムを管理する土木センターなどの上位・関連機関が管理するコンピュータシステムであり、表示端末装置５０及びルータ５１を有する。表示端末装置５０は、中央管理装置３から提供されるダム管理用情報を画面上に表示する。また、ルータ５１は、関連装置５とネットワーク４とを接続し、ネットワーク４を経由する情報の送受信を制御する。スマートフォン６やタブレット７は携帯情報端末であり、ネットワーク４を介して中央管理装置３から提供されるダム管理用情報を収集する。なお、関連装置５、及びスマートフォン６やタブレット７などの携帯情報端末を周辺装置と総称する。
【００１９】
［ダム管理システムの動作］
以下、図３及び図４のフローチャートを参照して、本実施形態のダム管理システムの動作を説明する。
【００２０】
先ず、図３に示すように、ダム管理用制御設備１では、放流操作装置１０は制御系ＬＡＮ２を介して、入出力装置１３からのダム制御情報を取得する。また、放流操作装置１０は情報系ＬＡＮ１２を介して、情報入力・提供装置１５からの各種情報を取得する。即ち、放流操作装置１０は、ダム制御情報及び各種情報を含むダム管理用情報を取得する（ステップＳ１）。
【００２１】
次に、放流操作装置１０は、ダム管理用制御設備１において取得したダム管理用情報を中央管理装置３に提供する。即ち、ルータ１６は、ネットワーク２を経由して、放流操作装置１０からのダム管理用情報を中央管理装置３に送信する（ステップＳ２）。
【００２２】
中央管理装置３では、ルータ３１は、ネットワーク２を経由して、ダム管理用制御設備１から送信されるダム管理用情報を受信して中央端末装置３０に転送する。中央端末装置３０は、ダム管理用制御設備１から送信されたダム管理用情報を、図示しないデータベースに保存して管理する（ステップＳ３）。
【００２３】
次に、図２及び図４のフローチャートを参照して、中央管理装置３によるダム管理用情報の提供処理を説明する。
【００２４】
まず、例えばダムを管理する土木センターなどの上位・関連機関において、関連装置５は、ネットワーク４を介して中央管理装置３の中央端末装置３０にアクセスする（ステップＳ１０）。中央端末装置３０は、関連装置５からのアクセスに応じて、保存・管理しているダム管理用情報をルータ３１からネットワーク４に送信する。
【００２５】
関連装置５は、ルータ５１によりネットワーク４を経由して送信されたダム管理用情報を受信する（ステップＳ１１）。関連装置５では、表示端末装置５０は、例えばブラウザを使用して、中央端末装置３０から提供されたダム管理用情報を画面上に表示する（ステップＳ１２）。即ち、中央端末装置３０は、例えばブラウザを使用して表示端末装置５０の画面上に表示可能な情報としてダム管理用情報を処理し、ネットワーク４を経由して送信する。
【００２６】
ここで、中央端末装置３０に対するアクセスは、パスワードロックされている。即ち、予め認証された周辺装置のみが、中央端末装置３０が保存・管理するダム管理用情報を参照できる。
【００２７】
図２に示すように、予め認証された端末（パスワードが設定されている端末）であれば、スマートフォン６やタブレット７などの携帯情報端末も周辺装置に含まれて、ネットワーク４を介して中央端末装置３０からダム管理用情報を参照できる。これらの携帯情報端末はブラウザを使用して、中央端末装置３０から提供されたダム管理用情報を画面上に表示する。
【００２８】
以上のようにして本実施形態のダム管理システムでは、ダム管理用制御設備１により収集されたダム管理用情報は、ネットワーク２を経由して中央管理装置３に送信される。ネットワーク２は、例えばＶＰＮ回線などの専用回線を使用している。中央管理装置３では、中央端末装置３０は専用の情報管理装置として、取得したダム管理用情報を確実かつ安全に一括管理することができる。
【００２９】
一方、関連装置５などの周辺装置は、ネットワーク４を経由して、中央端末装置３０が保存・管理するダム管理用情報を表示端末装置５０により参照できる。従って、ダムを管理する土木センターなどの職員は遠隔操作により、表示端末装置５０によりダム管理用制御設備１により収集されたダム管理用情報を確認することができる。また、例えば土木センターなどの職員は、ダムの現場に近い場所でスマートフォン６やタブレット７などの携帯情報端末から、中央端末装置３０にアクセスすることによりダム管理用情報を参照できる。
【００３０】
このような本実施形態のダム管理システムであれば、関連装置５はダム管理用制御設備１に対して直接的に接続されていないため、例えば関連装置５のコンピュータのソフトウェアを更新する場合や、新たな表示端末装置を追加するようなハードウェアの改造を行なう場合に、複雑な保守作業などが不要である。即ち、ダム管理用制御設備１との間で新たなケーブル配線を敷設し、また関連装置５のソフトウェア更新に伴うソフトウェア製作などが不要である。
【００３１】
また、関連装置５のハードウェアやソフトウェアの更新の期間中は、ダム管理用制御設備１により収集されたダム管理用情報は中央端末装置３０により一括管理されているため、ダム管理用情報を特別に保管する必要はない。従って、表示端末装置の拡張を容易に行なうことができる。
【００３２】
さらに、関連装置５の表示端末装置や、スマートフォン６やタブレット７などの周辺装置はブラウザがあれば、中央端末装置３０から提供されるダム管理用情報を参照できる環境を実現できる。従って、周辺装置の端末毎に、ダム管理用情報を参照するための専用のソフトウェアを組込等の環境準備は不要となる。
【００３３】
また、ダム管理用情報提供システムの更新時には、周辺装置の改造は不要であり、中央端末装置３０のみの改造となるため、システム更新を容易に行なうことができる。なお、当然ながら、中央端末装置３０の改造時には、データベースに保存されているダム管理用情報をバックアップすることになる。
【００３４】
要するに、中央管理装置３においてダム管理用情報を集中管理できる。これにより、ダム管理用情報を収集する周辺装置は、ハードウェア改造やソフトウェア更新の際に、ダム管理用制御設備１との関連改造や更新が不要であり、かつダム管理用情報を確実に保存・管理できる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…ダム管理用制御設備、２、４…ネットワーク、３…中央管理装置、
５…関連装置、６…スマートフォン、７…タブレット、１０…放流操作装置、
１１…制御系ＬＡＮ、１２…情報系ＬＡＮ、１３…入出力装置、
１４…ゲート設備、１５…情報入力・提供装置、１６、３１，５１…ルータ、
３０…中央端末装置、５０…表示端末装置。
【図１】
2014167221.tif 000003
【図２】
2014167221.tif 000004
【図３】
2014167221.tif 000005
【図４】
2014167221.tif 000006